(57)【要約】      （修正有）【課題】複数のスロープ部材を簡単に連結したり、分離することができるスロープ部材の連結構造を提供する。【解決手段】複数のスロープ部材をスロープ面の形成方向に沿って連結する連結構造であって、いずれか一方のスロープ部材は係止ピン部１２を有し、他方のスロープ部材は係止ピン部１２と係合する爪部２２ａを有し、係止ピン部１２と爪部２２ａとのうち少なくとも一方は、相手側のスロープ部材に向けてスライド可能なスライド手段を有し、スライド手段はスライド抵抗手段を有することを特徴とする。【選択図】図３
2020128667.tif 000002
【特許請求の範囲】
【請求項１】
複数のスロープ部材をスロープ面の形成方向に沿って連結する連結構造であって、
いずれか一方のスロープ部材は係止ピン部を有し、他方のスロープ部材は前記係止ピン部と係合する爪部を有し、
前記係止ピン部と前記爪部とのうち少なくとも一方は、相手側のスロープ部材に向けてスライド可能なスライド手段を有し、
前記スライド手段はスライド抵抗手段を有することを特徴とするスロープ部材の連結構造。
【請求項２】
前記係止ピン部は一方のスロープ部材に設けた第１ブラケットに有し、前記爪部は他方のスロープ部材に設けた第２ブラケットに有することを特徴とする請求項１記載のスロープ部材の連結構造。
【請求項３】
前記第１ブラケットと第２ブラケットのうち、一方はスロープ部材に固定した固定ブラケットであり、
他方はスロープ部材にスライド可能に取り付けたスライドブラケットであり、且つスライド抵抗の調整手段を有することを特徴とする請求項２記載のスロープ部材の連結構造。
【発明の詳細な説明】
【技術分野】
【０００１】
本発明は、建築物の段差部や車両の昇降口等に掛け渡してスロープ面を形成するためのスロープ部材に関し、特に複数のスロープ部材を連結して１つのスロープ面を形成するための連結構造に係る。
【背景技術】
【０００２】
持ち運びや収納しやすいように、スロープを複数のスロープ部材に分割し、使用時に連結するものがある。
例えば、本出願人は先に第１パネル側に設けたピンに、第２パネル側に設けたスライダーにてスライド連結する複数のスロープの連結構造を提案している（特許文献１）。
特許文献１は、複数のスロープ部材を連結する際に不整地面等の理由により、連結部が山折り，谷折りになるのを吸収できるようにした点に発明の特徴がある。
これに対して本発明は、連結操作が容易になることを目的に開発した結果、得られたものである。
【先行技術文献】
【特許文献】
【０００３】
【特許文献１】特開２０１８−７６７６６号公報
【発明の概要】
【発明が解決しようとする課題】
【０００４】
本発明は、複数のスロープ部材を簡単に連結したり、分離することができるスロープ部材の連結構造の提供を目的とする。
【課題を解決するための手段】
【０００５】
本発明に係るスロープ部材の連結構造は、複数のスロープ部材をスロープ面の形成方向に沿って連結する連結構造であって、いずれか一方のスロープ部材は係止ピン部を有し、他方のスロープ部材は前記係止ピン部と係合する爪部を有し、前記係止ピン部と前記爪部とのうち少なくとも一方は、相手側のスロープ部材に向けてスライド可能なスライド手段を有し、前記スライド手段はスライド抵抗手段を有することを特徴とする。
【０００６】
ここで、一方の係止ピン部と他方の爪部とを係合させることで、主に上下方向の連結を確実にし、スライド手段に設けたスライド抵抗手段により、複数のスロープ部材間の分離を抑えた点に本発明の特徴がある。
ここでスライド抵抗手段とは、係止ピン部と爪部との一方は相手側に向けてスライド可能でありながら、所定の力を加えないとスライドしない手段をいう。
【０００７】
よって、本発明に係る連結構造にあっては、係止ピン部と爪部とが対応し、それぞれの部材は一方のスロープ部材と他方のスロープ部材のどちら側に設けられていてもよい。
連結部材の製作が容易である点で、係止ピン部は一方のスロープ部材に設けた第１ブラケットに有し、前記爪部は他方のスロープ部材に設けた第２ブラケットに有するようにしてもよく、その場合に第１ブラケットと第２ブラケットのうち、一方はスロープ部材に固定した固定ブラケットであり、他方はスロープ部材にスライド可能に取り付けたスライドブラケットであるようにしてもよい。
この場合には、スライドブラケットにスライド抵抗手段を有する。
【発明の効果】
【０００８】
本発明は、スロープ部材の連結部において係止ピン部と爪部との係合で上下方向の連結を行いつつ、スライド抵抗手段にて係合が離れないようにしたので、連結操作が容易であるとともに、スライド抵抗に対抗して分離する操作も容易である。
【図面の簡単な説明】
【０００９】
【図１】本発明に係る連結構造を用いて、第１スロープ部材と第２スロープ部材を連結した例を示す。
【図２】連結部の斜視図を示す。
【図３】（ａ）は連結部の拡大図、（ｂ）〜（ｄ）は連結の流れを示す。
【図４】スロープ面の形成方向から見たブラケットの構造を示し、（ａ）はスライドブラケット、（ｂ）は固定ブラケットの取付部を示す。
【図５】ブラケットの部品図を示し、（ａ），（ｂ）はスライドブラケット，（ｃ），（ｄ）は固定ブラケットを示す。
【発明を実施するための形態】
【００１０】
本発明に係るスロープ部材の連結構造を図１に示した高位側に位置する第１スロープ部材１０と、低位側に位置する第２スロープ部材２０とを両側のレール部にて、それぞれ連結した例で説明するが、本発明はこれに限定されない。
【００１１】
第１スロープ部材１０は、図２に部分図を示すようにパネル材１０ａのスロープ方向に沿った両側にそれぞれレール部１０ｂを連結固定してあり、高台に載置する引掛部１０ｃを有する。
第２スロープ部材もパネル材２０ａの両側にレール部２０ｂをそれぞれ固定し、パネル材２０ａの先端部に接地部材２０ｃを有する。
【００１２】
第１スロープ部材１０のレール部１０ｂの下側端部には、図４（ｂ）に示すようにリベット等の固定部材１４にて固定ブラケット１１が固定されている。
固定ブラケット１１には、図５（ｃ），（ｄ）に示すように係止ピン部１２が外側に向けて突設してある。
【００１３】
第２スロープ部材２０のレール部２０ｂの上端側には、図４（ａ）に示すようにリベット等の取付部材２６にて、スライドブラケット２１がスライド可能に取り付けられている。
スライドブラケット２１は、図５（ａ），（ｂ）に示すように前記取付部材２６にスライド溝部２５ａを介して、スライド可能に取り付けたスライダー２５を有し、このスライダー２５にリベット等の固定部材２５ｂを介して、爪部材２２が固定されている。
爪部材２２の第１スロープ部材１０側には、先端部を切り欠き、係止ピン部１２と係合する爪部２２ａを有する。
スライダー２５は、図５（ｂ）に示すようにスライダー２５の下端側を断面Ｌ字状に内側に向けて折返し形成した受け部２３を有し、この受け部２３の上面にパイル等からなる摺接部材２４が取り付けられている。
これにより、図４（ａ）に示すように、スライダー２５に設けた摺接部材２４の先端部がレール部２０ｂの裏面に当たり、所定以上の力を加えないとスライダー２５が動かないようになっている。
よって、摺接部材２４はスライダーがスライドする際のスライド抵抗となる圧接した摺接荷重が生じるものであれば、ゴム部材，スポンジ部材等でもよい。
本実施例のように、モヘア等のパイル部材を用いると、異物が侵入しても排出可能であるとともに、連結時の摺接荷重の調整や抜け止めとなるロック荷重の調整が容易となる。
また、この摺接部材２４をスライドブラケット２１に折り曲げ形成した受け部２３に設けることで、個別に機能する部材を設けるよりも部品点数が少なくなる。
【００１４】
図３にて、連結方法を説明する。
第１スロープ部材１０の端部と、第２スロープ部材２０の端部を突き合せ、スライドブラケット２１を固定ブラケット１１側に向けてスライドさせる。
すると、図３（ｃ）に示すように爪部材２２の爪部２２ａが係止ピン部１２に係合する。
この際に、受け部２３の上面には摺接部材２４が固定されるので、スライダーは摺接抵抗を向けながらスライドブラケットと固定ブラケットが連結される。
この摺接抵抗力を調整することで、連結操作の操作力と抜け止めとなるロック力を調整することができる。
本発明に係る連結構造にあっては、スライドブラケット２１を固定ブラケット１１に向けてスライドさせる１回の動作にて、係止ピン部１２と爪部２２ａとの係合による上下方向のズレ防止と、スライド抵抗手段による抜け防止の連結操作を行うことができる。
【符号の説明】
【００１５】
１０      第１スロープ部材
１１      固定ブラケット
１２      係止ピン部
２０      第２スロープ部材
２１      スライドブラケット
２２      爪部材
２２ａ    爪部
２３      受け部
２４      摺接部材
【図１】
2020128667.tif 000003
【図２】
2020128667.tif 000004
【図３】
2020128667.tif 000005
【図４】
2020128667.tif 000006
【図５】
2020128667.tif 000007